(57)【特許請求の範囲】
【請求項１】
表示面上に、該表示面を水平方向及び垂直方向に分割するように透明スピーカが複数個配置され、情報を表示するとともに音を発生できる透明スピーカ付き情報表示装置において、
表示面に分割配置されたスピーカの各チャンネルに、入力されたマルチチャンネルである音声信号の各チャンネルを対応付ける手段と、
前記入力された制御情報に基づいて、表示画面に応じて各々の透明スピーカの出力音声レベルを個別に制御する制御手段とを備えたことを特徴とする透明スピーカ付き情報表示装置。
【請求項２】
更に、テレビ放送信号を受信する手段と、外部入力端子と、スピーカ制御手段とを備え、
前記スピーカ制御手段は、装置の左右のみに配置された透明スピーカが接続されるステレオラインと、透明スピーカのいずれかまたはすべてが接続されるモノラルラインとの２つのラインに接続され、前記テレビ放送信号あるいは外部入力端子から入力される信号が、ステレオ信号の場合はステレオラインに、モノラル信号の場合はモノラルラインに、音声信号のラインを切り換え、
前記対応付け手段には透明スピーカのすべてが接続され、分割した画面の表示領域に対応するマルチチャンネルの音声信号入力がされた場合、前記対応付け手段が機能して分割した領域のスピーカのチャンネルに対応付けし、
入力音声のステレオ、モノラル、分割した画面の表示領域に対応するマルチチャンネルの３つの音声信号に対応することを特徴とする請求項１記載の透明スピーカ付き情報表示装置。
【発明の詳細な説明】
【０００１】
【発明の属する技術分野】
本発明は、透明スピーカをディスプレイの前面に備えた表示装置に関し、例えば、テレビジョン受像機やパソコン等に用いられる透明スピーカ付き情報表示装置に好適である。
【０００２】
【従来の技術】
近年、透明スピーカをディスプレイ前面に取り付け、表示装置全体をコンパクト化する技術が提案されている。例えば、特許第２５５９４０５号には、液晶やＣＲＴの平面表示装置に透光性平面スピーカを装着したものが開示されている。図９に、この平面スピーカを装着した表示装置の外観図を示す。
【０００３】
この表示装置５０は、ディスプレイ前面であって、表示面を上下左右に４分割するように、透明平面スピーカ５１，５２，５３，５４を４個装着したものである。なお、スピーカ数は４つに限らず、さらに増加させてもよい。
この上下左右のスピーカ５１，５２，５３，５４からそれぞれ異なる音声を発して、臨場感を増す効果をもたらす。たとえば、自動車が画面を横切る場合、音を発する平面スピーカも自動車の動きに合わせて次々と切り換え、音の臨場感を増すことができる。
【０００４】
【発明が解決しようとする課題】
このような複数の透明スピーカを駆動するビデオ信号は、音声信号としてマルチチャンネルで形成される場合がある。そして、各チャンネルに対応する透明スピーカから音を出力させる。しかしながら、ビデオ信号のチャネル数と透明スピーカの数が対応しているとは限らない。もし、対応するスピーカを備えた表示装置以外は再生不可能となれば、表示装置のスピーカ数毎にビデオ信号を作成しなければならなくなり、現実的ではない。特許第２５５９４０５号には、ステレオ音声の場合の音の出力方法が記載してあるが、信号のチャンネル数とスピーカ数において、どちらがどれだけ多いかはわからずマルチチャンネル音声信号に対応して、臨場感を十分に発揮させる出力手段については一切記載がない。
【０００５】
本発明は、複数の透明スピーカを用いたことを前提とする多チャンネルの音声信号が入力されても、透明スピーカの数に限定されることなく再生可能とし、さらに臨場感をできるだけ損なうことなく再生可能な透明スピーカ付き情報表示装置を提供することにある。
【０００６】
【課題を解決するための手段】
本発明は、表示面上に、該表示面を分割するように透明スピーカが複数個配置され、情報を表示するとともに音を発生できる透明スピーカ付き情報表示装置において、表示面に分割配置されたスピーカの各チャンネルに、分割した画面の表示領域に対応するマルチチャンネルである入力音声信号の各チャンネルを対応付ける手段を備えたことを特徴とする。
【０００８】
また、本発明は、更に、テレビ放送信号を受信する手段と、外部入力端子と、スピーカ制御手段とを備え、前記スピーカ制御手段は、装置の左右のみに配置された透明スピーカが接続されるステレオラインと、透明スピーカのいずれかまたはすべてが接続されるモノラルラインとの２つのラインに接続され、前記テレビ放送信号あるいは外部入力端子から入力される信号が、ステレオ信号の場合はステレオラインに、モノラル信号の場合はモノラルラインに、音声信号のラインを切り換え、前記対応付け手段には透明スピーカのすべてが接続され、分割した画面の表示領域に対応するマルチチャンネルの音声信号入力がされた場合、前記対応付け手段が機能して分割した領域のスピーカのチャンネルに対応付けし、入力音声のステレオ、モノラル、分割した画面の表示領域に対応するマルチチャンネルの３つの音声信号に対応することを特徴とする。
【０００９】
本発明においては、対応付け手段により、入力信号のスピーカ制御情報における入力チャンネルと装着された透明スピーカの装置チャンネルとを対応付けるので、入力チャンネルと装置チャンネルの数が合わなくとも、音声を再生可能とする。さらに、オーディオ信号のマルチチャンネルをできるだけ生かして透明スピーカを駆動できるので、臨場感を損なうことなく音の再生ができる。
【００１０】
また、通常のモノラルやステレオの音声信号が入力されると、スピーカ制御手段が機能し、それ以外のマルチチャンネル信号が入力された場合に、対応付け手段が機能する。スピーカ制御手段は、ステレオ信号の時には左右に配置された透明スピーカより音を出力させる。そして、モノラル信号の時は全て同じ音をだすので、透明スピーカのいずれかのスピーカから音が出力されればよい。
【００１１】
【発明の実施の形態】
以下、本発明の実施形態について図面を参照しながら説明する。
図１は、本発明の透明スピーカ付き表示装置の一実施形態であるテレビジョン受像機のディスプレイ部の正面図である。図２は、このディスプレイ部の側面図である。
【００１２】
このディスプレイ部１０は、キャビネット１１、キャビネット１１に組み込まれた液晶ディスプレイ１２、透明枠２２、透明枠２２に取り付けられる透明スピーカＳＰ−Ａ〜ＳＰ−Ｉを備える。透明枠２２には、透明スピーカＳＰ−Ａ〜ＳＰ−Ｉの各々が、図示のように水平方向に３個、垂直方向に３個の計９個に取り付けられている。そして、透明枠２２は、液晶ディスプレイ１２の表示面上に配置され、キャビネット１１に取り付けられている。
【００１３】
次に、本発明による透明スピーカＳＰ−Ａ〜ＳＰ−Ｉの基本構成の一実施形態について、図２に基づき以下説明する。なお、本発明の透明スピーカは基本的には静電型スピーカである。静電型スピーカには、プッシュプルタイプとシングルタイプがあり、両タイプとも本発明を実現することができるが、以下の説明はシングルタイプにて説明する。
【００１４】
図２において、本発明の透明スピーカＳＰ−Ａ〜ＳＰ−Ｉは、図番が異なるのみで個々においては同じものである。以下の説明において、透明スピーカの説明はＳＰ−Ａを中心に説明する。
始めに本発明の透明スピーカＳＰ−Ａは、音波を発生する透明振動板Ａａ、透明振動板Ａａを構成し透明振動板Ａａのベース材となる透明フィルムＡａ1、透明フィルムＡａ1に形成され、透明スピーカＳＰ−Ａの一方の電極となる透明電極Ａａ2、透明スピーカＳＰ−Ａの固定電極となる透明固定電極板Ａｂ、透明固定電極板Ａｂを構成し透明固定電極板Ａｂのベース材となるガラス基板Ａｂ1、ガラス基板Ａｂ1に形成され透明スピーカＳＰ−Ａの他方の電極となる透明電極Ａｂ2、透明振動板Ａａ及び固定電極板Ａｂを保持する透明枠２２を備える。
また、透明スピーカＳＰ−Ａの固定電極板Ａｂには孔Ａｂ3が形成され、また、透明スピーカＳＰ−Ａには振動スペースと空気用スペースの空間２３を備える。
【００１５】
まず、どの透明スピーカも取り付けていない最初の状態で、真中に配置される透明スピーカＳＰ−Ｅを透明枠２２を曲げる等して溝２２ａにいれて取り付けておく。次に、例えば透明枠２２の側面の一方より、透明枠２２の溝２２ａに沿って透明スピーカＳＰ−Ａ〜ＳＰ−Ｉを挿入する等して、透明枠２２に透明スピーカＳＰ−Ａ〜ＳＰ−Ｉが取り付けられる。
【００１６】
【課題を解決するための手段】
本発明は、表示面上に、該表示面を水平方向及び垂直方向に分割するように透明スピーカが複数個配置され、情報を表示するとともに音を発生できる透明スピーカ付き情報表示装置において、表示面に分割配置されたスピーカの各チャンネルに、入力されたマルチチャンネルである音声信号の各チャンネルを対応付ける手段と、前記入力された制御情報に基づいて、表示画面に応じて各々の透明スピーカの出力音声レベルを個別に制御する制御手段とを備えたことを特徴とする。
【００１７】
次に、透明スピーカＳＰ−Ａについて説明する。
本発明の透明スピーカＳＰ−Ａは、液晶ディスプレイ１２側に音波を発生する透明振動板Ａａ、外部側（使用者側）に透明固定電極板Ａｂが配置され、透明枠２２にて保持されている。なお、透明振動板Ａａと透明固定電極板Ａｂとの配置が逆であっても、本発明は実現できるが、透明固定電極板Ａｂを外部側（使用者側）に配置することで、透明振動板Ａａを保護することができる。また、透明振動板Ａａの前後面は、透明振動板Ａａの振動スペースと空気用スペースとして、空間２３が設けられている。
【００１８】
透明振動板Ａａは、ベース材となる透明フィルムＡａ1と、透明スピーカＳＰ−Ａの一方の電極となる透明電極Ａａ2とにより構成されている。ここで、形成される透明電極Ａａ2としては、例えば、酸化インジウム（Ｉｎ2Ｏ3）と酸化スズ（ＳｎＯ2）からなるＩＴＯ（Indium Tin Oxide）膜や酸化インジウム（Ｉｎ2Ｏ3）膜を導電性フィルムＡａ1上に、蒸着法やスパッタリング法にて成膜することで形成できる。
なお、低抵抗，高透明度（高透過率），電極の微細加工が行い易いという点から、本発明においてはＩＴＯ膜が望ましい。
【００１９】
透明固定電極板Ａｂは、ベース材となるガラス基板Ａｂ1、ガラス基板Ａｂ1に形成され透明スピーカＳＰ−Ａの他方の電極となる透明電極Ａｂ2とにより構成される。また、透明固定電極板Ａｂに形成される透明電極Ａｂ2としては、例えば、前述したＩＴＯ膜をガラス基板Ａｂ1上に成膜することで実現できる。
【００２０】
図３に示すように、透明固定電極板Ａｂには孔Ａｂ3が多数設けられている。孔Ａｂ3方向は空間２３より使用者側方向に向かって設けられ、図２の矢印及び空気流で示すように、透明振動板Ａａにて発生された音波は、この孔Ａｂ3を通って、ディスプレイ１２の前面にいる視聴者に伝わる。従って、孔Ａｂ3方向を空間２３より使用者側方向に向かって設けることで、音波が直接視聴者に伝わる。
以上説明した透明スピーカＳＰ−Ａと同じものである透明スピーカＳＰ−Ｄ、ＳＰ−Ｇが、図示のように取り付けられるが、前述の説明と同じであり、説明は省略する。
【００２１】
図４は透明スピーカを動作させる回路図である。
まず、マッチングトランスＭＴの入力端子Ｔ1，Ｔ2に入力される音声信号までの信号処理は、通常のスピーカを動作させる処理と同じであり、説明は省略する。
【００２２】
音声処理回路（図示せず）にて所定の処理がなされた音声信号は、マッチングトランスＭＴの入力端子Ｔ1，Ｔ2に入力される。マッチングトランスＭＴは、音声処理回路（図示せず）と透明スピーカＳＰ−Ａ（透明振動板Ａａの透明電極Ａａ2，透明固定電極板Ａｂの透明電極Ａｂ2）とのインピーダンスを整合する。
また、マッチングトランスＭＴの出力端子Ｔ3には、直流分カットコンデンサＣが接続され、他方の出力端子Ｔ4には、所定の直流電圧を発生し、バイアス電圧発生源となるバイアス電源Ｅの負側及び透明固定電極板Ａｂの透明電極Ａｂ2が接続されている。
【００２３】
直流分カットコンデンサＣの出力は、透明振動板Ａａの透明電極Ａａ2に接続されるとともに、前述したバイアス電源Ｅの正側に接続されたバイアス抵抗Ｒに接続されている。以上の構成により透明電極Ａａ2には、バイアス抵抗Ｒを介しバイアス電源Ｅからの直流バイアス電圧が加えられている。
前述した入力端子Ｔ1に入力された音声信号は、出力端子Ｔ3より出力され、出力端子Ｔ3より出力された音声信号は、直流分カットコンデンサＣにて直流分がカットされる。
【００２４】
直流分がカットされた音声信号は、バイアス電源Ｅからの直流バイアス電圧に重畳され、透明振動板Ａａの透明電極Ａａ2に出力される。従って、透明電極Ａａ2及び透明電極Ａｂ2間に所定の電圧がかかることで、透明振動板Ａａと透明固定電極板Ａｂ間に静電力が働き、この静電力で透明振動板Ａａが振動して音波を発生する。以上の動作にて、音声信号は音波へと変換される。
なお、マッチングトランスＭＴ、直流分カットコンデンサＣ、バイアス抵抗Ｒ、バイアス電源Ｅはテレビジョン受像機本体内部に備えられ、透明電極材にて、透明スピーカＳＰ−Ａに接続されている。
【００２５】
また、本発明構成の透明振動板Ａａの透明電極Ａａ2あるいは透明固定電極板Ａｂの透明電極Ａｂ2に、公知の予め帯電され電荷を保持したエレクトレットフィルムを貼付することで、バイアス電源Ｅを省略することもできる。これは、透明電極Ａａ2あるいは透明電極Ａｂ2に正又は負の電荷を半永久的に固定してしまうことで実現されるものである。
【００２６】
次に、このディスプレイ部を備えたテレビジョン受信機について説明する。
図５は、テレビジョン受像機の回路ブロック図である。
図５において、このテレビジョン受像機は、受信された放送信号のチャンネルを選局し、検波，増幅等の処理を行いビデオ信号を出力するチューナユニット３１と、チューナユニット３１出力のビデオ信号と後述するビデオ外部信号を切換えるＴＶ／ビデオ切換回路３２と、ＴＶ／ビデオ切換回路３２出力のビデオ信号を輝度信号と色信号にＹ／Ｃ分離するＹ／Ｃ分離回路３３と、Ｙ／Ｃ分離回路３３出力とビデオ入力からのコンポーネント信号のＹ信号，Ｃ信号との入力切換を行うＹ／Ｃ入力切換回路３４と、チューナユニット３１出力の音声中間周波数ＳＩＦを音声信号に復調する音声復調回路３５と、Ｙ／Ｃ入力切換回路３４出力のＹ信号，Ｃ信号をアナログＲ・Ｇ・Ｂ信号に変換するデコーダ回路３６と、デコーダ回路３６出力のアナログＲ・Ｇ・Ｂ信号を増幅するビデオアンプ３７と、増幅されたアナログＲ・Ｇ・Ｂ信号をデジタルＲ・Ｇ・Ｂ信号に変換するＡ／Ｄ変換回路３８と、変換されたデジタルＲ・Ｇ・Ｂ信号を液晶駆動用のタイミングに変換するＬＣＤコントローラ３９と、ＬＣＤコントローラ３９出力の信号を基に画像を表示する液晶ディスプレイ４０と、外部信号が入力される外部入力４１と、外部入力１１から入力されるデジタルオーディオインターフェース規格の音声信号のチャンネル数を判別し、チャンネル数を無変換あるいは変換する機能と、デジタル信号にデコードするとともに制御情報に基づき各チャンネルの音声レベルを制御する機能とを備えるデコーダ回路４２と、デコーダ回路４２からのデジタル音声信号をアナログ音声信号に変換するＤ／Ａ変換回路４３と、音声復調回路３５出力の音声信号と外部入力の音声信号を切り換える音声切換回路４４と、動作させるスピ−カを制御するスピ−カ制御回路４５と、メインボリューム４６と、音声信号を増幅する音声アンプＡＭ−１〜ＡＭ−９、透明スピーカＳＰ−Ａ〜ＳＰ−Ｉとを備える。
【００２７】
次に、最初に放送信号やＶＴＲ再生時等通常の外部入力時の動作を説明する。放送信号受信時は、まず、アンテナ（図示せず）にて受信された放送信号は、チューナユニット３１にて、チャンネルの選局，検波，増幅等の処理がなされビデオ信号がＴＶ／ビデオ切換回路３２に出力される。また、ＴＶ／ビデオ切換回路３２には、外部のコンポジット信号入力時（例えば、ＶＨＳ  ＶＴＲ再生時等）において、外部入力４１のＶ１端子よりＹ信号とＣ信号がミックスされたコンポジットビデオ信号が入力される。
【００２８】
ＴＶ／ビデオ切換回路３２は、モードにより、チューナユニット３１出力のビデオ信号とＶ１端子よりのビデオ信号とを切り換え次段のＹ／Ｃ分離回路３３に出力する。
Ｙ／Ｃ分離回路３３でＹ／Ｃ分離された輝度信号（Ｙ）と色信号（Ｃ）は、次段のＹ／Ｃ入力切換回路３４に出力される。Ｙ／Ｃ入力切換回路３４においては、外部入力がコンポーネント信号入力時（例えばＳＶＨＳ  ＶＴＲ再生時等、この時は前述のＶ１からはビデオ信号は出力されない）において、外部入力４１のＶ２端子よりＹ信号とＣ信号がミックスされていないコンポーネントビデオ信号が入力される。
Ｙ／Ｃ入力切換回路３４は、モードに応じＹ／Ｃ分離回路３３出力と外部入力４１のＶ２端子からの信号とを切り換え、次段のデコーダ回路３６に出力する。
【００２９】
デコーダ回路３６は、入力されたＹ信号，Ｃ信号をアナログＲ・Ｇ・Ｂ信号に変換し、次段のビデオアンプ３７に出力する。ビデオアンプ３７は、入力されたアナログＲ・Ｇ・Ｂ信号を増幅し、次段のＡ／Ｄ変換回路３８に出力する。Ａ／Ｄ変換回路３８は、増幅されたアナログＲ・Ｇ・Ｂ信号をデジタルＲ・Ｇ・Ｂ信号に変換し、次段のＬＣＤコントローラ３９に出力する。
【００３０】
ＬＣＤコントローラ３９は、デジタルＲ・Ｇ・Ｂ信号を液晶ディスプレイ駆動用のタイミングに変換し、次段の液晶ディスプレイ４０に出力する。液晶ディスプレイ４０は、変換された信号を基に画像を表示する。
【００３１】
次に、音声について動作説明する。
チューナユニット３１出力の音声中間周波数ＳＩＦ信号は、音声復調回路３５に出力される。音声復調回路３５は、音声中間周波数ＳＩＦ信号を復調して、次段の音声切換回路４４に出力する。また、音声切換回路４４には外部入力音声時、外部入力４１のＡ端子からの音声信号が入力される。音声切換回路４４は、モードに応じて音声復調回路３５出力の音声信号と、Ａ端子からの音声信号とを切り換えて、次段のスピーカ切換回路４５に出力する。
【００３２】
スピーカ制御回路４５は、入力された音声信号がモノラル信号の時は、図の破線で示すようラインＡ〜ラインＩの全ラインに接続させ全スピーカを動作させる。ステレオ信号の場合は、例えば、図１配置の真中３つのスピーカＳＰ−Ｂ，ＳＰ−Ｅ，ＳＰ−Ｈを不動作とし、Ｌ信号でＳＰ−Ａ，ＳＰ−Ｄ，ＳＰ−Ｇを動作させ、Ｒ信号でＳＰ−Ｃ，ＳＰ−Ｆ，ＳＰ−Ｉを動作させる制御を行う。図５の実線で示すように、ラインＡ，Ｃ，Ｄ，Ｆ，Ｇ，Ｉの６つのラインに接続させステレオ音声で視聴できる制御を行う。
【００３３】
上述した各ラインの音声信号は、メインボリューム４６に入力される。メインボリューム４６は、ユーザが好みの音量に設定できるボリュームである。メインボリューム４６より出力された各ラインの音声信号は、各ラインの音声アンプＡＭ１〜ＡＭ９で増幅処理され、各透明スピーカＳＰ−Ａ〜ＳＰ−Ｉに出力され、各透明スピーカＳＰ−Ａ〜ＳＰ−Ｉは、入力された音声信号に基づいて音波を発生する。
【００３４】
次に、本発明の各透明スピーカＳＰ−Ａ〜ＳＰ−Ｉを個別に制御して、臨場感溢れる視聴を行う手段について説明する。
まず、データを備えるソフト（例えばＤＶＤソフト）が再生されると、外部入力４１のＤＩ端子には、デジタルオーディオインターフェース規格の音声信号が入力されデコーダ回路４２に入力される。
デコーダ回路４２は、デジタルオーディオインターフェース規格の音声信号をデジタル信号にデコードするとともに、制御情報に基づき各チャンネルの音声レベルを制御し、Ｄ／Ａ変換回路４３に出力する。すなわち、制御信号に含まれる入力チャンネルと、透明スピーカの装置チャンネルを対応付ける役割を果たす。以下には、入力チャンネルと装置チャンネルが９チャンネルで一致している場合を説明する。
【００３５】
Ｄ／Ａ変換回路４３は、デジタル音声信号をアナログ音声信号に変換する。変換された信号は、図で示すように、９ライン（９チャンネル）のアナログ音声信号である。Ｄ／Ａ変換回路４３より出力される各ラインの信号は、ラインＡ〜ラインＩの各ラインに接続されメインボリューム４６へ出力される。図においては、各ライン毎に９ライン図示すると、わかりづらくなるので、矢印の記号のみで示している。これ以後の動作は前述と同様であり、説明は省略する。
【００３６】
図６は本発明の透明スピーカを備えたテレビジョン受像機のビデオ入力に入力されるオーディオ信号の１実施例のフォーマットを示す図である。図６（ａ）は、ＤＶＤの信号フォーマットの一部を示すものであり、一つのＶＯＢＵ（Video Object Unit）の構成を示すものである。
なお、ＤＶＤの信号ＶＯＢＳ（Video Object Set）は、複数のＶＯＢ（Video Object）より構成され、一つのＶＯＢは、複数のセルより構成され、一つのセルは、複数のＶＯＢＵ（Video Object Unit）より構成されている。この複数のＶＯＢＵの内の一つのＶＯＢＵの構成を示したのが図６（ａ）である。
【００３７】
図６（ａ）において、一つのＶＯＢＵは、図に示すように、ＮＶ＿ＰＣＫ（ナビパック）、Ａ＿ＰＣＫ（オーディオパック）、Ｖ＿ＰＣＫ（ビデオパック）、ＳＰ＿ＰＣＫ（サブピクチュアパック）より構成されている。
図６（ｂ）は、前述したＡ＿ＰＣＫ（オーディオパック）の内一つのＡ＿ＰＣＫの構成を示すものであり、Ａ＿ＰＣＫは、  Ｐａｃｋ  ｈｅａｄｅｒ、Ｐａｃｋｅｔ  ｈｅａｄｅｒ、Ｓｕｂ＿Ｓｔｒｅａｍ＿ｉｄ、Ａｕｄｉｏ  ｆｒａｍｅｉｎｆｏｒｍａｔｉｏｎ、Ａｕｄｉｏ  ｄａｔａより構成されている。
【００３８】
本発明においては、例えば図６（ｃ）に示すように、Ａｕｄｉｏ  ｆｒａｍｅｉｎｆｏｒｍａｔｉｏｎとＡｕｄｉｏ  ｄａｔａとの間に制御情報の領域を設けている。その制御情報は、例えば図６（ｄ）に示すように、図１，図２で示すスピーカＳＰ−Ａ〜ＳＰ−Ｉに対応した情報であり、制御情報Ｃ１がＳＰ−Ａ、Ｃ２がＳＰ−Ｂ、・・・・・Ｃ９がＳＰ−Ｉに対応している。この対応は、例えば、制御情報の順番等により対応できる。また、制御情報Ｃ１〜Ｃ９は、例えば８ビットのデータで、各スピーカの音量を制御するデータである。
【００３９】
図７はオーディオ信号に含まれる制御情報を説明する図であり、図７に示す音量レベルの状態は、図１，２に示す、ＳＰ−Ａ，ＳＰ−Ｃが最大音量、ＳＰ−Ｈが中間のレベル、他のスピーカの音量が０であることを示している。
【００４０】
このように、液晶ディスプレイ１０前面に透明スピーカＳＰ−Ａ〜ＳＰ−Ｉを設け、各々のスピーカを個別に制御することで、左右方向の臨場感はもとより、上下方向の臨場感を制御することが可能となる。上下方向の臨場感とは、例えば、ある部屋の場面で、画面右上の隅でＣＤプレーヤをかけている。人が画面下の左右で話している画面だとする。この場合、制御情報Ｃは、透明スピーカＳＰ−Ｃ，ＳＰ−Ｇ，ＳＰ−Ｉを出力する制御情報であり、図１で示す透明スピーカＳＰ−Ｃからは、ＣＤプレーヤの再生音が出力され、また、透明スピーカＳＰ−Ｇ及びＳＰ−Ｉからは、左右の人の話声が出力されることになる。このように、本発明は、従来の左右方向の臨場感や従来例で示した特許２５５９４０５のようにスピーカを切り換えて上下方向に音を出力するのでなく、制御情報Ｃを制御することで、各々の全てのスピーカの出力を個別に制御して、場面に応じて、上下左右方向に同時に出力して臨場感を得るものである。従い、場面に応じて、同時に全てのスピーカを出力して臨場感を得る場合もある。
音量データは、その内容に応じて適宜なレベルとなる。オーケストラの演奏時等は、効果的となる。
【００４１】
以上の説明においては、９個の透明スピーカを例に説明したが、スピーカの数や配置は、これに限定されることなく、様々な形態でも本発明は実現できる。また、スピーカの制御情報においても、上述の説明に限定されることなく、制御情報がどのような形でも入力されれば、本発明は実現できる。
【００４２】
次に、デコーダ回路４２の動作について詳述する。図８はデコーダ回路４２のチャンネル数を変換する変換テーブルの１例を説明するための図である。まず、図６に示すデータを備えるソフト（例えばＤＶＤソフト）が再生されると、外部入力１１のＤＩ端子には、デジタルオーディオインターフェース規格の音声信号が入力されデコーダ回路４２に入力される。デコーダ回路４２は、入力されたデジタルオーディオインターフェース規格の音声信号のチャンネル数を判別する。これは、図１で示すように、透明スピーカを９個備えて、９チャンネルの信号に対応する装置に、例えば、６チャンネルの信号が入力された場合や、逆に、透明スピーカを６個備えて、６チャンネルの信号に対応する装置に、９チャンネルの信号が入力された場合等、入力される信号と、装置の対応チャンネルが異なることによる不動作を防ぎ、装置をいろいろなチャンネルの入力信号に対応させるためである。デコーダ回路４２は、内部に変換テーブルを備えており、入力された音声信号のチャンネル数を判別し、判別したチャンネル数と内部に備えた装置のチャンネル数情報とにより、チャンネル数を無変換あるいは変換する動作を行う。
【００４３】
ここで、デコーダ回路４２について詳しく説明する。
最初に、図１に示すように、９チャンネルに対応した装置に、９チャンネルの音声信号が入力された場合は、チャンネル数の変換は行わない。
次に、図１に示すような９チャンネルに対応した装置に、例えば、６チャンネルの音声信号が入力された場合について、図８にもとづいて説明する。図８の入力チャンネルは、デコーダ回路１２に入力されるデジタルオーディオインターフェース規格の音声信号のチャンネルの形態を示し、装置チャンネルは、装置に備えたチャンネル形態を示し、変換チャンネルは、入力チャンネルが装置のどのチャンネルに変換されるかを示している。
【００４４】
前に戻って、図８（ａ）の入力チャンネルに示すような形態のａ〜ｆの６チャンネルの音声信号が、図８（ａ）の装置チャンネルに示すような形態のＡ〜Ｉの９チャンネルに対応した装置に入力された場合、デコーダ回路１２は図８（ａ）の変換チャンネルに示すように、入力チャンネルａは装置チャンネルＡに、入力チャンネルｂは装置チャンネルＢに、入力チャンネルｃは装置チャンネルＣに、入力チャンネルｄは装置チャンネルＧに、入力チャンネルｅは装置チャンネルＨに、入力チャンネルｆは装置チャンネルＩに変換することで、装置にあったチャンネルの変換を行う。
【００４５】
図８（ｂ）の入力チャンネルに示すような形態のａ〜ｆの６チャンネルの音声信号が、図８（ｂ）の装置チャンネルに示すような形態のＡ〜Ｉの９チャンネルに対応した装置に入力された場合、デコーダ回路４２は図８（ｂ）の変換チャンネルに示すように、入力チャンネルａは装置チャンネルＡに、・・・・・・・、入力チャンネルｆは装置チャンネルＩに変換することで、装置にあったチャンネルの変換を行う。
【００４６】
図８（ｃ）の入力チャンネルに示すような形態のａ〜ｉの９チャンネルの音声信号が、図８（ｃ）の装置チャンネルに示すような形態のＡ〜Ｆの６チャンネルに対応した装置に入力された場合、デコーダ回路１２は図８（ｃ）の変換チャンネルに示すように、入力チャンネルａは装置チャンネルＡに、・・・・・・・、入力チャンネルｉは装置チャンネルＦに変換することで、装置にあったチャンネルの変換を行う。なお、入力チャンネルｄ，ｅ，ｆは不使用とする。
【００４７】
図８（ｄ）の入力チャンネルに示すような形態のａ〜ｉの９チャンネルの音声信号が、図８（ｄ）の装置チャンネルに示すような形態のＡ〜Ｆの６チャンネルに対応した装置に入力された場合、デコーダ回路４２は図８（ｄ）の変換チャンネルに示すように、入力チャンネルａは装置チャンネルＡに、・・・・・・・、入力チャンネルｉは装置チャンネルＦに変換することで、装置にあったチャンネルの変換を行う。なお、入力チャンネルｂ，ｅ，ｈは不使用とする。
【００４８】
図８（ｃ），図８（ｄ）において、変換チャンネルに示す／は、入力チャンネルの１部のチャンネルを不使用とする例を示しているが、例えば、図８（ｃ）の入力チャンネルｄのデータを装置チャンネルのＡ及びＤのチャンネル加えてもよい。チャンネル数が無変換あるいは変換された音声信号は、デジタル信号にデコードされるとともに、制御情報に基き各チャンネルの音声レベルが制御され、次段のＤ／Ａ変換回路１３に出力される。
【００４９】
【発明の効果】
以上説明したように、本発明装置によれば、表示面に透明スピーカを設け、各々のスピーカを個別に制御することで、左右方向の臨場感はもとより、上下方向の臨場感を制御することが可能となる。
対応付け手段により、入力信号のスピーカ制御情報における入力チャンネルと装着された透明スピーカの装置チャンネルとを対応付けるので、入力チャンネルと装置チャンネルの数が合わなくとも、音声を再生可能とする。さらに、入力されたオーディオ信号のマルチチャンネルをできるだけ生かして透明スピーカを駆動できるので、臨場感を損なうことなく音の再生ができる。
さらに予め入力チャンネルと装置チャンネルを対応付けるテーブルがあるので、自動的に、かつすばやく的確に対応付けて音を発することができる。
【図面の簡単な説明】
【図１】本発明の透明スピーカ付き表示装置の一実施形態であるテレビジョン受像機のディスプレイ部の正面図である。
【図２】このディスプレイ部の側面図である。
【図３】透明スピーカの透明固定電極板に設けられる孔を示す図である。
【図４】透明スピーカを動作させる回路図である。
【図５】透明スピーカ付き表示装置を備えたテレビジョン受像機の回路ブロック図である。
【図６】透明スピーカを備えたテレビジョン受像機のビデオ入力に入力されるオーディオ信号の１実施例のフォーマットを示す図である。
【図７】オーディオ信号に含まれる制御情報を説明する図である。
【図８】デコーダ回路４２のチャンネル数を変換する変換テーブルの１例を説明するための図である。
【図９】従来の平面スピーカを装着した表示装置の外観図である。
【符号の説明】
１０  ディスプレイ部
１２  液晶ディスプレイ
４２  デコーダ回路
４５  スピーカ制御回路
ＳＰ−Ａ〜Ｉ  透明スピーカ
【図１】
0003690993.tif 000002
【図２】
0003690993.tif 000003
【図３】
0003690993.tif 000004
【図４】
0003690993.tif 000005
【図５】
0003690993.tif 000006
【図６】
0003690993.tif 000007
【図７】
0003690993.tif 000008
【図８】
0003690993.tif 000009
【図９】
0003690993.tif 000010